(57)【要約】【課題】  画像形成装置からの機密漏洩を防止する。【解決手段】ネットワーク７に、複合機３と、サーバ装置２と、文書データから画像出力データを生成しサーバ装置２へ送信するクライアント装置１とが接続されている。サーバ装置２では、出力データ管理部２１が、受信された画像出力データを出力データ記憶部２２に格納する。サーバ装置２は、複合機３においてユーザ操作に基づいて入力されたユーザ認証情報を受信すると、そのユーザ認証情報が正当なものであるか否かを判定し、そのユーザ認証情報が正当なものであると判定された場合、画像出力データのうち、そのユーザ認証情報に関連付けられている画像出力データをその複合機３へ送信する。画像形成装は、画像形成処理の前に、画像出力処理により得られる画像についてのプレビュー画像を所定の表示装置に表示させる。【選択図】  図１
2010170233.tif 000002
【特許請求の範囲】
【請求項１】
ネットワークに接続された少なくとも１つの画像形成装置と、
前記ネットワークに接続されたサーバ装置と、
前記ネットワークに接続され、文書データから画像出力データを生成し前記サーバ装置へ送信するクライアント装置とを備え、
前記サーバ装置は、
前記ネットワークに接続された第１通信装置と、
前記第１通信装置で前記画像出力データを受信するデータ受信手段と、
前記画像出力データを所定の記憶装置に格納するデータ管理手段と、
ユーザ操作に基づいて入力されたユーザ認証情報を、前記第１通信装置で前記ネットワークを介して前記画像形成装置または前記画像形成装置に予め関連付けられている電子機器から受信し、前記ユーザ認証情報が正当なものであるか否かを判定する認証処理手段と、
前記ユーザ認証情報が正当なものであると判定された場合に、前記画像出力データのうち、前記ユーザ認証情報に関連付けられている前記画像出力データを前記画像形成装置へ前記第１通信装置で送信するデータ送信手段とを有し、
前記画像形成装置は、
前記ネットワークに接続された第２通信装置と、
ユーザ操作に基づいて前記ユーザ認証情報を取得する取得手段と、
前記第２通信装置で前記ユーザ認証情報を前記サーバ装置へ送信し、前記第２通信装置で前記画像出力データを前記サーバ装置から受信してその画像出力データに基づき画像形成処理を行わせる制御手段とを有し、
前記制御手段は、前記画像形成処理の前に、前記画像出力処理により得られる画像についてのプレビュー画像を所定の表示装置に表示させること、
を特徴とする画像形成システム。
【請求項２】
前記サーバ装置の前記データ管理手段は、前記画像出力データに関連付けてプレビュー画像データを所定の記憶装置に格納し、
前記サーバ装置の前記データ送信手段は、前記プレビュー画像データを前記画像形成装置へ前記第１通信装置で送信し、
前記画像形成装置の前記制御手段は、前記第２通信装置で前記プレビュー画像データを受信し、前記プレビュー画像データに基づき前記プレビュー画像を表示させること、
を特徴とする請求項１記載の画像形成システム。
【請求項３】
前記サーバ装置は、前記画像出力データから前記プレビュー画像データを生成する画像処理手段を有することを特徴とする請求項２記載の画像形成システム。
【請求項４】
前記サーバ装置の前記データ受信手段は、前記第１通信装置で前記クライアント装置から前記プレビュー画像データを受信することを特徴とする請求項２記載の画像形成システム。
【請求項５】
前記プレビュー画像データは、前記画像出力データと同一の解像度を有することを特徴とする請求項２から請求項４のうちのいずれか１項記載の画像形成システム。
【請求項６】
前記画像形成装置の前記制御手段は、前記サーバ装置から受信した前記画像出力データに基づき前記プレビュー画像を表示させることを特徴とする請求項１記載の画像形成システム。
【請求項７】
前記ネットワークに接続され、登録済みのユーザ認証情報を有し、前記登録済みのユーザ認証情報に基づいてユーザ認証を行う認証サーバ装置を備え、
前記サーバ装置の認証処理手段は、前記画像形成装置または前記電子機器からのユーザ認証情報を前記第１通信装置で前記認証サーバ装置へ送信してユーザ認証を実行させ、前記第１通信装置で前記認証サーバ装置から前記ユーザ認証の結果を受信し、その結果に基づいて、前記ユーザ認証情報が正当なものであるか否かを判定すること、
を特徴とする請求項１記載の画像形成システム。
【請求項８】
前記画像形成装置の前記制御手段は、前記ユーザ認証情報のユーザの前記画像出力データのリストを前記サーバ装置から取得し、ユーザ操作に基づいて前記リストから前記画像出力データを選択し、選択した前記画像出力データの送信要求を前記サーバ装置へ送信し、その画像出力データを前記サーバ装置から受信してその画像出力データに基づき画像形成処理を行わせ、
前記サーバ装置の前記データ送信手段は、前記画像形成装置から要求された前記画像出力データを、前記ユーザ認証情報および前記送信要求を送信した前記画像形成装置へ送信すること、
を特徴とする請求項１記載の画像形成システム。
【請求項９】
前記画像形成装置の前記制御手段は、前記ユーザ認証情報のユーザの前記画像出力データのリストを前記サーバ装置から取得し、ユーザ操作に基づいて前記リストから前記画像出力データを選択し、選択した前記画像出力データに対応する前記プレビュー画像データの送信要求を前記サーバ装置へ送信し、そのプレビュー画像データを前記サーバ装置から受信してそのプレビュー画像データに基づきプレビュー画像を表示させ、
前記サーバ装置の前記データ送信手段は、前記画像形成装置から要求された前記プレビュー画像データを、前記ユーザ認証情報および前記送信要求を送信した前記画像形成装置へ送信すること、
を特徴とする請求項２記載の画像形成システム。
【請求項１０】
前記リストは、前記画像出力処理により得られる画像についてのサムネイル画像を有し、
前記プレビュー画像の解像度は、前記サムネイル画像の解像度より高いこと、
を特徴とする請求項８または請求項９記載の画像形成システム。
【請求項１１】
前記画像形成装置の前記制御手段は、他のユーザから前記ユーザ認証情報のユーザに対するメッセージを前記サーバ装置から取得し、そのメッセージを所定の表示装置に表示させた後に、前記画像形成処理を行わせ、
前記サーバ装置の前記データ受信手段は、前記他のユーザからのメッセージを前記第１通信装置で受信し、
前記サーバ装置の前記データ管理手段は、前記他のユーザからのメッセージを所定の記憶装置に格納し、
前記サーバ装置の前記データ送信手段は、前記画像形成装置から要求された前記メッセージを、その画像形成装置へ送信すること、
を特徴とする請求項１記載の画像形成システム。
【請求項１２】
前記画像出力データは、ページ記述言語で記述された印刷データであることを特徴とする請求項１から請求項１１のうちのいずれか１項記載の画像形成システム。
【請求項１３】
ネットワークに接続された通信装置と、
前記通信装置で画像出力データを受信するデータ受信手段と、
前記画像出力データを所定の記憶装置に格納するデータ管理手段と、
ユーザ操作に基づいて入力されたユーザ認証情報を、前記通信装置で前記ネットワークを介して画像形成装置または画像形成装置に予め関連付けられている電子機器から受信し、前記ユーザ認証情報が正当なものであるか否かを判定する認証処理手段と、
前記ユーザ認証情報が正当なものであると判定された場合に、前記画像出力データのうち、前記ユーザ認証情報に関連付けられている前記画像出力データを、前記ユーザ認証情報を送信した前記画像形成装置へ前記通信装置で送信するデータ送信手段と、
を備え、
前記データ管理手段は、前記画像出力データに関連付けてプレビュー画像データを所定の記憶装置に格納し、
前記データ送信手段は、前記プレビュー画像データを前記画像形成装置へ前記通信装置で送信すること、
を特徴とするサーバ装置。
【請求項１４】
ネットワークに接続された通信装置と、
ユーザ操作に基づいてユーザ認証情報を取得する取得手段と、
前記ネットワークに接続されているサーバ装置へ前記通信装置でユーザ認証情報および画像出力データの送信要求を送信し、画像出力データのうち、前記ユーザ認証情報に関連付けられている画像出力データを、前記通信装置で前記サーバ装置から受信してその画像出力データに基づき画像形成処理を行わせる制御手段とを備え、
前記制御手段は、前記画像形成処理の前に、前記画像出力処理により得られる画像についてのプレビュー画像を所定の表示装置に表示させること、
を特徴とする画像形成装置。
【請求項１５】
ネットワークに接続された少なくとも１つの画像形成装置と、
前記ネットワークに接続されたサーバ装置と、
前記ネットワークに接続され、文書データから画像出力データを生成し前記サーバ装置へ送信するクライアント装置と、
前記ネットワークに接続され、表示装置を有するネットワーク機器とを備え、
前記サーバ装置は、
前記ネットワークに接続された第１通信装置と、
前記第１通信装置で前記画像出力データを受信するデータ受信手段と、
前記画像出力データを所定の記憶装置に格納するデータ管理手段と、
ユーザ操作に基づいて入力されたユーザ認証情報を、前記第１通信装置で前記ネットワークを介して前記画像形成装置または前記画像形成装置に予め関連付けられている電子機器から受信し、前記ユーザ認証情報が正当なものであるか否かを判定する認証処理手段と、
前記ユーザ認証情報が正当なものであると判定された場合に、前記ユーザ認証情報に関連付けられている前記画像出力データについてのプレビュー画像データを、前記画像形成装置に予め関連付けられている前記ネットワーク機器に送信するとともに、前記ネットワーク機器においてプレビュー画像が表示された後に、その画像出力データを、前記画像形成装置へ前記第１通信装置で送信するデータ送信手段とを有し、
前記ネットワーク機器は、前記プレビュー画像データに基づいて、前記画像形成処理の前に、前記画像出力処理により得られる画像についてのプレビュー画像を前記表示装置に表示させること、
を特徴とする画像形成システム。
【請求項１６】
ネットワークに接続された少なくとも１つの画像形成装置と、
前記ネットワークに接続されたサーバ装置と、
前記ネットワークに接続され、文書データから画像出力データを生成し前記サーバ装置へ送信するクライアント装置と、
前記ネットワークに接続され、表示装置を有するネットワーク機器とを備え、
前記サーバ装置は、
前記ネットワークに接続された第１通信装置と、
前記第１通信装置で前記画像出力データを受信するデータ受信手段と、
前記画像出力データを所定の記憶装置に格納するデータ管理手段と、
ユーザ操作に基づいて入力されたユーザ認証情報を、前記第１通信装置で前記ネットワークを介して前記画像形成装置または前記画像形成装置に予め関連付けられている電子機器から受信し、前記ユーザ認証情報が正当なものであるか否かを判定する認証処理手段と、
前記ユーザ認証情報が正当なものであると判定された場合に、前記ユーザ認証情報に関連付けられている前記画像出力データについてのプレビュー画像データを、前記画像形成装置に予め関連付けられている前記ネットワーク機器に送信するとともに、その画像出力データを、前記ネットワーク機器へ前記第１通信装置で送信するデータ送信手段とを有し、
前記ネットワーク機器は、前記プレビュー画像データに基づいて、前記画像形成処理の前に、前記画像出力処理により得られる画像についてのプレビュー画像を前記表示装置に表示させ、前記ネットワーク機器においてプレビュー画像が表示された後に、前記ネットワークを介して前記画像出力データを前記画像形成装置へ送信すること、
を特徴とする画像形成システム。
【発明の詳細な説明】
【技術分野】
【０００１】
本発明は、画像形成システム、サーバ装置および画像形成装置に関するものである。
【背景技術】
【０００２】
ネットワークに接続された画像形成装置には、パーソナルコンピュータからのプリントコマンドを受信すると、ネットワーク上のファイルサーバから文書ファイルを取得し、その文書ファイルをビットマップ画像に展開し、ビットマップ画像に基づいて印刷を行うものがある（例えば特許文献１，２参照）。
【０００３】
その画像形成装置では、コピージョブの実行中の場合、コピージョブ終了後に、ＩＤカードからユーザＩＤが取得され、そのユーザＩＤと文書ファイルのユーザ識別子とが一致するか否かが判定され、両者が一致することを確認した後に、その文書ファイルに基づく印刷が実行される。
【０００４】
一方、コピージョブが実行されていない場合には、ただちに文書ファイルに基づく印刷が実行される。
【先行技術文献】
【特許文献】
【０００５】
【特許文献１】特開平９−２５１３５８号公報
【特許文献２】特開２００４−１６８０６５号公報
【発明の概要】
【発明が解決しようとする課題】
【０００６】
上述のシステムでは、パーソナルコンピュータから画像形成装置へプリントコマンドが供給されると、コピージョブが実行中でなければ、印刷が開始される。したがって、印刷実行時には、ユーザがパーソナルコンピュータの設置場所におり、画像形成装置の設置場所にはいない。このため、ユーザが画像形成装置の設置場所まで印刷物を取りに行くまで、印刷物が放置されてしまい、機密保持の観点から好ましくない。
【０００７】
本発明は、上記の問題に鑑みてなされたものであり、機密漏洩を防止できる画像形成システム、並びに、そのシステムに使用可能なサーバ装置および画像形成装置を得ることを目的とする。
【課題を解決するための手段】
【０００８】
上記の課題を解決するために、本発明では以下のようにした。
【０００９】
本発明に係る画像形成システムは、ネットワークに接続された少なくとも１つの画像形成装置と、ネットワークに接続されたサーバ装置と、ネットワークに接続され、文書データから画像出力データを生成しサーバ装置へ送信するクライアント装置とを備える。そして、サーバ装置は、ネットワークに接続された第１通信装置と、第１通信装置で画像出力データを受信するデータ受信手段と、画像出力データを所定の記憶装置に格納するデータ管理手段と、ユーザ操作に基づいて入力されたユーザ認証情報を、第１通信装置でネットワークを介して画像形成装置または画像形成装置に予め関連付けられている電子機器から受信し、ユーザ認証情報が正当なものであるか否かを判定する認証処理手段と、ユーザ認証情報が正当なものであると判定された場合に、画像出力データのうち、ユーザ認証情報に関連付けられている画像出力データを画像形成装置へ第１通信装置で送信するデータ送信手段とを有する。また、画像形成装置は、ネットワークに接続された第２通信装置と、ユーザ操作に基づいてユーザ認証情報を取得する取得手段と、第２通信装置でユーザ認証情報をサーバ装置へ送信し、第２通信装置で画像出力データをサーバ装置から受信してその画像出力データに基づき画像形成処理を行わせる制御手段とを有する。この制御手段は、画像形成処理の前に、画像出力処理により得られる画像についてのプレビュー画像を所定の表示装置に表示させる。
【００１０】
これにより、画像出力データがサーバ装置により一旦保存され、画像形成装置の設置場所からサーバ装置のユーザ認証を経ないと、画像出力データが画像形成装置へ供給されない。このため、ユーザが印刷後すぐに画像形成装置から印刷物を取ることができる。したがって、画像形成装置からの機密漏洩を防止できる。また、ユーザがプレビューで印刷物の画像を事前に確認することができるため、ユーザが必要としない印刷が実行されない。したがって、不要な印刷物が発生しにくく、不要な印刷物が放置されることによる機密漏洩を防止できる。
【００１１】
また、本発明に係る画像形成システムは、上記の画像形成システムに加え、次のようにしてもよい。この場合、サーバ装置のデータ管理手段は、画像出力データに関連付けてプレビュー画像データを所定の記憶装置に格納し、サーバ装置のデータ送信手段は、プレビュー画像データを画像形成装置へ第１通信装置で送信する。そして、画像形成装置の制御手段は、第２通信装置でプレビュー画像データを受信し、プレビュー画像データに基づきプレビュー画像を表示させる。
【００１２】
また、本発明に係る画像形成システムは、上記の画像形成システムのいずれかに加え、次のようにしてもよい。この場合、サーバ装置は、画像出力データからプレビュー画像データを生成する画像処理手段を有する。
【００１３】
また、本発明に係る画像形成システムは、上記の画像形成システムのいずれかに加え、次のようにしてもよい。この場合、サーバ装置のデータ受信手段は、第１通信装置でクライアント装置からプレビュー画像データを受信する。
【００１４】
また、本発明に係る画像形成システムは、上記の画像形成システムのいずれかに加え、次のようにしてもよい。この場合、プレビュー画像データは、画像出力データと同一の解像度を有する。
【００１５】
また、本発明に係る画像形成システムは、上記の画像形成システムのいずれかに加え、次のようにしてもよい。この場合、画像形成装置の制御手段は、サーバ装置から受信した画像出力データに基づきプレビュー画像を表示させる。
【００１６】
また、本発明に係る画像形成システムは、上記の画像形成システムのいずれかに加え、次のようにしてもよい。この場合、画像形成システムは、ネットワークに接続され、登録済みのユーザ認証情報を有し、登録済みのユーザ認証情報に基づいてユーザ認証を行う認証サーバ装置を備える。サーバ装置の認証処理手段は、画像形成装置または電子機器からのユーザ認証情報を第１通信装置で認証サーバ装置へ送信してユーザ認証を実行させ、第１通信装置で認証サーバ装置からユーザ認証の結果を受信し、その結果に基づいて、ユーザ認証情報が正当なものであるか否かを判定する。
【００１７】
また、本発明に係る画像形成システムは、上記の画像形成システムのいずれかに加え、次のようにしてもよい。この場合、画像形成装置の制御手段は、ユーザ認証情報のユーザの画像出力データのリストをサーバ装置から取得し、ユーザ操作に基づいてリストから画像出力データを選択し、選択した画像出力データの送信要求をサーバ装置へ送信し、その画像出力データをサーバ装置から受信してその画像出力データに基づき画像形成処理を行わせる。そして、サーバ装置のデータ送信手段は、画像形成装置から要求された画像出力データを、ユーザ認証情報および要求を送信した画像形成装置へ送信する。
【００１８】
これにより、一部の画像出力データのみについて画像形成処理を実行させることができ、サーバ装置へ画像出力データを保存させた後に、各画像出力データを画像形成装置へ供給するタイミングをユーザが決定することができる。
【００１９】
また、本発明に係る画像形成システムは、上記の画像形成システムのいずれかに加え、次のようにしてもよい。この場合、画像形成装置の制御手段は、ユーザ認証情報のユーザの画像出力データのリストをサーバ装置から取得し、ユーザ操作に基づいてリストから画像出力データを選択し、選択した画像出力データに対応するプレビュー画像データの送信要求をサーバ装置へ送信し、そのプレビュー画像データをサーバ装置から受信してそのプレビュー画像データに基づきプレビュー画像を表示させる。また、サーバ装置のデータ送信手段は、画像形成装置から要求されたプレビュー画像データを、ユーザ認証情報および送信要求を送信した画像形成装置へ送信する。
【００２０】
また、本発明に係る画像形成システムは、上記の画像形成システムのいずれかに加え、次のようにしてもよい。この場合、リストは、画像出力処理により得られる画像についてのサムネイル画像を有する。プレビュー画像の解像度は、サムネイル画像の解像度より高く設定される。
【００２１】
また、本発明に係る画像形成システムは、上記の画像形成システムのいずれかに加え、次のようにしてもよい。この場合、画像形成装置の前記制御手段は、他のユーザからユーザ認証情報のユーザに対するメッセージをサーバ装置から取得し、そのメッセージを所定の表示装置に表示させた後に、画像形成処理を行わせる。サーバ装置のデータ受信手段は、他のユーザからのメッセージを第１通信装置で受信し、データ管理手段は、他のユーザからのメッセージを所定の記憶装置に格納し、データ送信手段は、画像形成装置から要求されたメッセージを、その画像形成装置へ送信する。
【００２２】
また、本発明に係る画像形成システムは、上記の画像形成システムのいずれかに加え、次のようにしてもよい。この場合、画像出力データは、ページ記述言語で記述された印刷データである。
【００２３】
本発明に係るサーバ装置は、ネットワークに接続された通信装置と、通信装置で画像出力データを受信するデータ受信手段と、画像出力データを所定の記憶装置に格納するデータ管理手段と、ユーザ操作に基づいて入力されたユーザ認証情報を、通信装置でそのネットワークを介して画像形成装置または画像形成装置に予め関連付けられている電子機器から受信し、ユーザ認証情報が正当なものであるか否かを判定する認証処理手段と、そのユーザ認証情報が正当なものであると判定された場合に、画像形成装置からの要求に応じて、画像出力データのうち、そのユーザ認証情報に関連付けられている画像出力データを、画像形成装置へ通信装置で送信するデータ送信手段とを備える。そして、データ管理手段は、画像出力データに関連付けてプレビュー画像データを所定の記憶装置に格納し、データ送信手段は、プレビュー画像データを画像形成装置へ通信装置で送信する。
【００２４】
本発明に係る画像形成装置は、ネットワークに接続された通信装置と、ユーザ操作に基づいてユーザ認証情報を取得する取得手段と、ネットワークに接続されているサーバ装置へ通信装置でユーザ認証情報および画像出力データの送信要求を送信し、画像出力データのうち、ユーザ認証情報に関連付けられている画像出力データを、通信装置でサーバ装置から受信してその画像出力データに基づき画像形成処理を行わせる制御手段とを備える。そして、制御手段は、画像形成処理の前に、画像出力処理により得られる画像についてのプレビュー画像を所定の表示装置に表示させる。
【００２５】
本発明に係る別の画像形成システムは、ネットワークに接続された少なくとも１つの画像形成装置と、ネットワークに接続されたサーバ装置と、ネットワークに接続され、文書データから画像出力データを生成しサーバ装置へ送信するクライアント装置と、ネットワークに接続され、表示装置を有するネットワーク機器とを備える。そして、サーバ装置は、ネットワークに接続された第１通信装置と、第１通信装置で画像出力データを受信するデータ受信手段と、画像出力データを所定の記憶装置に格納するデータ管理手段と、ユーザ操作に基づいて入力されたユーザ認証情報を、第１通信装置でネットワークを介して画像形成装置または画像形成装置に予め関連付けられている電子機器から受信し、ユーザ認証情報が正当なものであるか否かを判定する認証処理手段と、ユーザ認証情報が正当なものであると判定された場合に、ユーザ認証情報に関連付けられている画像出力データについてのプレビュー画像データを、画像形成装置に予め関連付けられているネットワーク機器に送信するとともに、ネットワーク機器においてプレビュー画像が表示された後に、その画像出力データを、画像形成装置へ第１通信装置で送信するデータ送信手段とを有する。また、ネットワーク機器は、プレビュー画像データに基づいて、画像形成処理の前に、画像出力処理により得られる画像についてのプレビュー画像を表示装置に表示させる。
【００２６】
本発明に係る別の画像形成システムは、ネットワークに接続された少なくとも１つの画像形成装置と、ネットワークに接続されたサーバ装置と、ネットワークに接続され、文書データから画像出力データを生成しサーバ装置へ送信するクライアント装置と、ネットワークに接続され、表示装置を有するネットワーク機器とを備える。そして、サーバ装置は、ネットワークに接続された第１通信装置と、第１通信装置で画像出力データを受信するデータ受信手段と、画像出力データを所定の記憶装置に格納するデータ管理手段と、ユーザ操作に基づいて入力されたユーザ認証情報を、第１通信装置でネットワークを介して画像形成装置または画像形成装置に予め関連付けられている電子機器から受信し、ユーザ認証情報が正当なものであるか否かを判定する認証処理手段と、ユーザ認証情報が正当なものであると判定された場合に、ユーザ認証情報に関連付けられている画像出力データについてのプレビュー画像データを、画像形成装置に予め関連付けられているネットワーク機器に送信するとともに、その画像出力データを、ネットワーク機器へ第１通信装置で送信するデータ送信手段とを有する。ネットワーク機器は、プレビュー画像データに基づいて、画像形成処理の前に、画像出力処理により得られる画像についてのプレビュー画像を表示装置に表示させ、ネットワーク機器においてプレビュー画像が表示された後に、ネットワークを介して画像出力データを画像形成装置へ送信する。
【発明の効果】
【００２７】
本発明によれば、画像形成システムにおける機密漏洩を防止できる。
【図面の簡単な説明】
【００２８】
【図１】本発明の実施の形態１に係る画像形成システムの構成を示すブロック図である。
【図２】図１におけるサーバ装置の構成を示すブロック図である。
【図３】図１における複合機の構成を示すブロック図である。
【図４】図１に示す画像形成システムにおいて、複合機でジョブを実行させる際の処理を説明する図である。
【図５】実施の形態１における、画像出力データのリストを表示する画面の一例を示す図である。
【図６】図１に示す画像形成システムにおいて、プリンタで印刷を実行させる際の処理を説明する図である。
【図７】図１に示す画像形成システムにおいて、複合機でプレビュー表示をさせる際の処理を説明する図である。
【図８】実施の形態１における、プレビューが可能である場合の、画像出力データのリストを表示する画面の一例を示す図である。
【図９】実施の形態１における、プレビュー画像を表示する画面の一例を示す図である。
【図１０】実施の形態２における、メッセージのリストを表示する画面の一例を示す図である。
【図１１】本発明の実施の形態３に係る画像形成システムの構成を示すブロック図である。
【図１２】図１１におけるネットワーク機器の構成を示すブロック図である。
【発明を実施するための形態】
【００２９】
以下、図に基づいて本発明の実施の形態を説明する。
【００３０】
実施の形態１．
図１は、本発明の実施の形態１に係る画像形成システムの構成を示すブロック図である。
【００３１】
この画像形成システムでは、クライアント装置１、サーバ装置２、複合機３、プリンタ４およびカードリーダ５、並びに認証サーバ装置６が、ネットワーク７を介して互いに接続されている。これらの装置には、ネットワーク７において一意に特定可能な識別子（ＩＰアドレス、マシン名など）が割り当てられている。
【００３２】
クライアント装置１は、パーソナルコンピュータなどといった、ユーザにより操作される端末装置である。クライアント装置１は、プリンタドライバなどといった出力ドライバ１１を有する。出力ドライバ１１は、文書データから画像出力データを生成する処理部である。文書データは、アプリケーションで生成されデータファイルとして保存されているデータである。画像出力データは、例えば、ページ記述言語（Page Description Language ）により記述された印刷データである。
【００３３】
サーバ装置２は、ネットワーク７に接続されたコンピュータ装置であり、出力データ管理部２１および出力データ記憶部２２を有する。出力データ管理部２１は、クライアント装置１から受信された画像出力データを、出力データ記憶部２２に格納する処理部である。
【００３４】
複合機３は、画像出力データに基づき画像形成処理を実行する画像形成装置である。画像形成処理には、印刷、ファクシミリ送信、コピーなどがある。この複合機３は、カードリーダ３１を有する。カードリーダ３１は、ログイン時にユーザのＩＤカード１０１を近づけられると、そのＩＤカードからそのユーザのユーザ認証情報を読み取る。ＩＤカードは、ＩＣカードなどである。ユーザ認証情報は、ユーザＩＤ、暗号化されたユーザＩＤなどである。複合機３は、ユーザのユーザ認証情報をサーバ装置２に送信し、そのユーザがクライアント装置１からサーバ装置２へ送信した画像出力データを受信し、その画像出力データに基づき画像形成処理を実行する。
【００３５】
プリンタ４は、サーバ装置２からネットワーク７を介して供給された画像出力データに基づき印刷を実行する画像形成装置である。カードリーダ５は、プリンタ４と同一の場所に設置されており、プリンタ４に予め関連付けられている。カードリーダ５は、ユーザのＩＤカード１０１を近づけられると、そのＩＤカードからそのユーザのユーザ認証情報を読み取り、ネットワーク７を介してサーバ装置２へ送信する。
【００３６】
認証サーバ装置６は、ネットワーク７に接続されたコンピュータ装置であり、ユーザ登録データ６１および機器登録データ６２を有する。ユーザ登録データ６１は、正規ユーザのユーザ認証情報を有する。機器登録データ６２は、プリンタ４とカードリーダ５との対応関係の情報を有する。認証サーバ装置６は、サーバ装置２からユーザ認証の要求があると、ユーザ登録データ６１を参照してユーザ認証処理を行い、認証結果を応答としてサーバ装置２へ送信する。また、認証サーバ装置６は、カードリーダ５に対応する画像形成装置の問い合わせがあると、機器登録データ６２を参照して、カードリーダ５に対応する画像形成装置（ここではプリンタ４）をサーバ装置２へ通知する。認証サーバ装置６としては、例えば、アクティブディレクトリサーバが稼働している装置が使用される。
【００３７】
ネットワーク７は、例えば、有線および／または無線のＬＡＮ（Local Area Network）である。
【００３８】
次に、サーバ装置２および複合機３の詳細な構成について説明する。
【００３９】
図２は、図１におけるサーバ装置２の構成を示すブロック図である。
【００４０】
図２において、ＣＰＵ（Central Processing Unit ）２０１は、プログラムを実行し、プログラムに記述された処理を実行する演算処理装置である。また、ＲＯＭ（Read Only Memory）２０２は、プログラムおよびデータを予め記憶した不揮発性のメモリである。また、ＲＡＭ（Random Access Memory）２０３は、プログラムを実行する際にそのプログラムおよびデータを一時的に記憶するメモリである。
【００４１】
また、ＨＤＤ（Hard Disc Drive）２０４は、図示せぬオペレーティングシステム、サーバプログラム２１１などを格納する記録媒体を有する記憶装置である。この実施の形態１では、サーバプログラム２１１がＣＰＵ２０１で実行されることにより、出力データ管理部２１、通信処理部２２１、認証処理部２２２、および使用量監視部２２３が実現される。
【００４２】
通信処理部２２１は、ネットワークインタフェースカード２０５を制御し、例えばＴＣＰ／ＩＰ（Transmission Control Protocol/Internet Protocol ）といった通信プロトコルでデータを送受する処理部である。通信処理部２２１は、ネットワークインタフェースカード２０５で画像出力データを受信するとともに、画像出力データを、複合機３、プリンタ４などの画像形成装置へネットワークインタフェースカード２０５で送信する。
【００４３】
認証処理部２２２は、通信処理部２２１を使用して、ユーザ操作に基づいて入力されたユーザ認証情報を、ネットワークインタフェースカード２０５でネットワーク７を介して複合機３、またはプリンタ４に予め関連付けられているカードリーダ５から受信し、そのユーザ認証情報が正当なものであるか否かを判定する処理部である。
【００４４】
使用量監視部２２３は、ユーザまたはユーザの属する部門ごとに、複合機３およびプリンタ４において実行される画像形成処理（印刷、ファクシミリ送信、コピーなど）に伴うページ数などの使用量を監視する処理部である。
【００４５】
また、ネットワークインタフェースカード２０５は、ネットワーク７に接続された通信装置である。
【００４６】
また、記憶装置２０６は、各種データを格納する装置である。記憶装置２０６としては、ハードディスクドライブ、不揮発性の半導体メモリなどが適宜使用される。記憶装置２０６の一部の領域が出力データ記憶部２２として使用される。また、記憶装置２０６は、使用量データ２３１および設定データ２３２を格納する。使用量データ２３１は、ユーザまたはそのユーザの属する部門ごとに、複数の項目のそれぞれについての使用量の値および上限値を有する。設定データ２３２は、ＣＰＵ２０１により実現される処理部の処理実行時に参照されるデータである。なお、使用量データ２３１および設定データ２３２は、記憶装置２０６とは別の記憶装置に格納されるようにしてもよい。また、実施の形態１では、出力データ記憶部２２は、サーバ装置２内にあるが、サーバ装置２に接続される外部装置内にあってもよいし、ネットワーク７に接続されたファイルサーバやデータベースサーバ内にあってもよい。
【００４７】
ＣＰＵ２０１、ＲＯＭ２０２、ＲＡＭ２０３、ＨＤＤ２０４、ＮＩＣ２０５および記憶装置２０６は、バス、コントローラ、インタフェースなどを介して互いにデータ通信可能に接続されている。
【００４８】
図３は、図１における複合機３の構成を示すブロック図である。
【００４９】
複合機３は、カードリーダ３１、ネットワークインタフェースカード３０１、印刷装置３０２、モデム３０３、画像読取装置３０４、記憶装置３０５、制御装置３０６および操作パネル３０７を有する。
【００５０】
ネットワークインタフェースカード３０１は、ネットワーク７に接続された通信装置である。
【００５１】
印刷装置３０２は、例えばレーザ印刷機構を有し、画像出力データから印刷画像を形成し、その印刷画像に対応する制御信号を生成し、その制御信号で印刷機構を制御して、印刷用紙に画像を印刷する装置である。
【００５２】
モデム３０３は、画像出力データからファクシミリ画像を形成し、そのファクシミリ画像に対応するファクシミリデータを生成し、そのファクシミリデータを送信する装置である。また、モデム３０３は、ファクシミリデータを受信すると、そのファクシミリデータに対応するファクシミリ画像のデータを生成する。
【００５３】
画像読取装置３０４は、原稿画像を光学的に読み取り、その原稿画像の画像データを生成する装置である。
【００５４】
記憶装置３０５は、設定データ３１１を格納する装置である。記憶装置３０５としては、ハードディスクドライブ、不揮発性の半導体メモリなどが適宜使用される。設定データ３１１は、制御装置３０６による処理実行時に参照されるデータである。
【００５５】
制御装置３０６は、印刷装置３０２、モデム３０３および画像読取装置３０４を制御して画像形成処理を実行させる装置である。また、制御装置３０６は、カードリーダ３１により取得されたユーザ認証情報をネットワークインタフェースカード３０１でサーバ装置２へ送信し、サーバ装置２から画像出力データをネットワークインタフェースカード３０１で受信する処理を実行する。なお、制御装置３０６は、例えば制御プログラムをマイクロプロセッサで実行することにより実現される。また、印刷画像の形成およびファクシミリデータの生成は、制御装置３０６が実行してもよい。
【００５６】
操作パネル３０７は、表示装置および入力装置を有し、複合機３の設置場所にいるユーザが使用可能なユーザインタフェースである。表示装置としては、例えば液晶ディスプレイが使用され、入力装置としては、例えば、タッチパネルおよび複数のキースイッチが使用される。
【００５７】
次に、上記システムにおける各装置の動作について説明する。
【００５８】
まず、カードリーダを有する画像形成装置でジョブを実行させる際の処理を説明する。
【００５９】
図４は、図１に示す画像形成システムにおいて、複合機３でジョブを実行させる際の処理を説明する図である。
【００６０】
クライアント装置１では、ユーザが図示せぬアプリケーションを介して出力ドライバ１１を起動する。出力ドライバ１１は、文書データに対応する画像出力データを生成し（ステップＳ１）、図示せぬネットワークインタフェースカードを介してサーバ装置２へ送信する（ステップＳ２）。このとき、画像出力データとともに、そのユーザのユーザ認証情報が送信される。あるいは、ユーザ認証情報に関連付けられている識別情報が画像出力データとともに送信される。
【００６１】
その画像出力データは、サーバ装置２により受信される。サーバ装置２では、ネットワークインタフェースカード２０５を介して通信処理部２２１がその画像出力データを受信する。出力データ管理部２１は、その出力データを、そのユーザ認証情報に関連付けて、出力データ記憶部２２に格納する（ステップＳ３）。
【００６２】
これにより、画像出力データがサーバ装置２において一旦保持される。
【００６３】
その後、ユーザは複合機３の設置場所へ行き、ログイン操作を行う。この実施の形態１では、ログイン操作として、ユーザは、自己に割り当てられたＩＤカード１０１をカードリーダ３１にかざす。複合機３のカードリーダ３１は、近づけられたＩＤカード１０１を検出すると、そのＩＤカード１０１からユーザ認証情報を読み出す（ステップＳ４）。
【００６４】
制御装置３０６は、カードリーダ３１によりユーザ認証情報が読み出されると、ネットワークインタフェースカード３０１で、ユーザ認証要求およびそのユーザ認証情報をサーバ装置２へ送信する（ステップＳ５）。
【００６５】
そのユーザ認証要求およびそのユーザ認証情報はサーバ装置２に受信される。サーバ装置２では、ネットワークインタフェースカード２０５を介して通信処理部２２１がそのユーザ認証要求およびそのユーザ認証情報を受信する。ユーザ認証要求およびそのユーザ認証情報が受信されると、認証処理部２２２は、ユーザ認証要求およびそのユーザ認証情報を、ネットワーク７を介して認証サーバ装置６へ送信する（ステップＳ６）。
【００６６】
認証サーバ装置６は、そのユーザ認証要求およびそのユーザ認証情報を受信すると、ユーザ登録データ６１を参照し、受信したユーザ認証情報が正規のものであるか否かを判定する（ステップＳ７）。そして、認証サーバ装置６は、その認証結果を応答としてサーバ装置２へ送信する（ステップＳ８）。
【００６７】
サーバ装置２の通信処理部２２１は、ネットワーク７およびネットワークインタフェースカード２０５を介して、その認証結果を受信し、認証処理部２２２へ供給する。認証処理部２２２は、その認証結果に基づいて複合機３からのユーザ認証情報が正規のものであるか否かを判定する（ステップＳ９）。
【００６８】
そして、認証処理部２２２が、複合機３からのユーザ認証情報が正規のものであると判定した場合には、出力データ管理部２１は、出力データ記憶部２２内の画像出力データのうち、そのユーザ認証情報に関連付けられている画像出力データのリストを生成し、通信処理部２２１に、そのリストを複合機３へ送信させる（ステップＳ１０）。通信処理部２２１は、そのリストを、ネットワークインタフェースカード２０５およびネットワーク７を介して、複合機３へ送信する。
【００６９】
なお、認証処理部２２２が、複合機３からのユーザ認証情報が正規のものではないと判定した場合には、認証処理部２２２が、通信処理部２２１を使用して、認証結果のみを複合機３へ送信する。
【００７０】
送信したユーザ認証情報についてのユーザ認証が成功した場合、複合機３の制御装置３０６は、そのユーザ認証情報に関連付けられている画像出力データのリストを、ネットワークインタフェースカード２０５で受信し、操作パネル３０７の表示装置に表示させる。
【００７１】
図５は、実施の形態１における、画像出力データのリストを表示する画面の一例を示す図である。図５に示すように、リストには、ユーザＩＤ、画像出力データのサーバ保存日時、ページ数、およびサムネイル画像が含まれている。ユーザＩＤは、ユーザ認証情報の一部、またはユーザ認証情報に対応する識別情報である。また、サーバ装置２の出力データ管理部２１が画像出力データの先頭ページのサムネイル画像データを生成し、リストに付加する。図５に示すサムネイル画像は、そのサムネイル画像データに基づいて表示される。
【００７２】
その後、操作パネル３０７の入力装置に対してユーザによる選択操作があると（ステップＳ１１）、制御装置３０６は、その選択操作に従って、リストから画像出力データを選択し、その画像出力データの送信要求を、ネットワークインタフェースカード３０１でサーバ装置２へ送信する（ステップＳ１２）。例えば図５に示すようなリストの場合、サーバ保存日時またはシリアル番号により、選択された画像出力データが特定される。
【００７３】
サーバ装置２において、その送信要求が通信処理部２２１により受信されると、出力データ管理部２１は、要求された画像出力データを読み出し、通信処理部２２１に、その画像出力データを複合機３へ送信させる（ステップＳ１３）。
【００７４】
なお、出力データ管理部２１は、画像出力データが送信された後に、その画像出力データを出力データ記憶部２２から削除するようにしてもよい。あるいは、出力データ管理部２１は、画像出力データが送信された後に、所定の期間の経過後に、その画像出力データを自動的に出力データ記憶部２２から削除するようにしてもよい。
【００７５】
複合機３の制御装置３０６は、その画像出力データをネットワークインタフェースカード３０１で受信し、ユーザが操作パネル３０７で選択した画像形成処理を実行させる（ステップＳ１４）。例えば、図５に示す画面において、印刷ボタンが押下されると（ステップＳ１１）、印刷装置３０２を使用して画像出力データに基づく印刷が実行され、ファクシミリ送信ボタンが押下されると（ステップＳ１１）、モデム３０３を使用して画像出力データに基づくファクシミリ送信が実行される。
【００７６】
なお、ユーザ認証が成功した場合、認証処理部２２は、このセッションに固有のセッションＩＤを生成し、通信処理部２２１が、そのセッションＩＤをリストとともに複合機３へ送信する。複合機３の制御装置３０６は、セッションＩＤを画像出力データの送信要求に付加してから、画像出力データの送信要求をサーバ装置２へ送信する。
【００７７】
このように、画像出力データを発行したユーザが複合機３の設置場所にいるときに、画像出力処理のジョブが実行されるため、機密漏洩の可能性を低減することができる。
【００７８】
次に、カードリーダを有さない画像形成装置でジョブを実行させる際の処理を説明する。
【００７９】
図６は、図１に示す画像形成システムにおいて、プリンタ４で印刷を実行させる際の処理を説明する図である。
【００８０】
まず、複合機３で画像形成処理を行わせる場合と同様にして、画像出力データがクライアント装置１からサーバ装置２へ伝送され、サーバ装置２において保持される（ステップＳ１〜Ｓ３）。
【００８１】
プリンタ４で印刷を実行させる場合には、ユーザはプリンタ４とカードリーダ５の設置場所へ行き、ログイン操作を行う。この実施の形態１では、ログイン操作として、ユーザは、自己に割り当てられたＩＤカード１０１をカードリーダ５にかざす。カードリーダ５は、近づけられたＩＤカード１０１を検出すると、そのＩＤカード１０１からユーザ認証情報を読み出し（ステップＳ２１）、ネットワーク７を介してサーバ装置２へ送信する（ステップＳ２２）。
【００８２】
そのユーザ認証情報はサーバ装置２に受信される。サーバ装置２では、ネットワークインタフェースカード２０５で、通信処理部２２１がそのユーザ認証情報を受信する。カードリーダ５からのユーザ認証情報が受信されると、認証処理部２２２は、そのユーザ認証情報を、ネットワーク７を介して認証サーバ装置６へ送信する（ステップＳ２３）。
【００８３】
認証サーバ装置６は、そのユーザ認証要求およびそのユーザ認証情報を受信すると、ユーザ登録データ６１を参照し、受信したユーザ認証情報が正規のものであるか否かを判定する（ステップＳ２４）。そして、認証サーバ装置６は、その認証結果を応答としてサーバ装置２へ送信する（ステップＳ２５）。
【００８４】
サーバ装置２の通信処理部２２１は、ネットワーク７およびネットワークインタフェースカード２０５を介して、その認証結果を受信し、認証処理部２２２へ供給する。認証処理部２２２は、その認証結果に基づいてカードリーダ５からのユーザ認証情報が正規のものであるか否かを判定する（ステップＳ２６）。
【００８５】
そして、認証処理部２２２は、カードリーダ５からのユーザ認証情報が正規のものであると判定した場合には、認証サーバ装置６に、そのカードリーダ５に関連付けられている画像形成装置を問い合わせ、認証サーバ装置６からその応答を受信し、その応答に基づいて、画像出力データの送信先となる画像形成装置（ここでは、プリンタ４）を特定する（ステップＳ２７）。このとき、認証サーバ装置６は、その問い合わせを受信すると、機器登録データ６２を参照して、カードリーダ５に関連付けられている画像形成装置を特定し、その画像形成装置を示す応答をサーバ装置２へ送信する。
【００８６】
そして、出力データ管理部２１は、出力データ記憶部２２内の画像出力データのうち、そのユーザ認証情報に関連付けられている画像出力データを読み出し、通信処理部２２１に、特定された画像形成装置（ここではプリンタ４）へ送信させる（ステップＳ２８）。通信処理部２２１は、ネットワークインタフェースカード２０５で、画像出力データを順番に、ネットワーク７を介してプリンタ４へ送信する。
【００８７】
なお、認証処理部２２２が、カードリーダ５からのユーザ認証情報が正規のものではないと判定した場合には、今回のセッションを終了する。
【００８８】
カードリーダ５から送信したユーザ認証情報についてのユーザ認証が成功した場合、プリンタ４は、画像出力データを順番に受信し、その画像出力データに基づき印刷を実行する（ステップＳ２９）。
【００８９】
このように、画像出力データを発行したユーザがプリンタ４およびカードリーダ５の設置場所にいるときに、印刷ジョブが実行されるため、機密漏洩の可能性を低減することができる。
【００９０】
このシステムでは、以上のようにして、クライアント装置１の生成した画像出力データが、サーバ装置２に保存され、複合機３またはプリンタ４が、サーバ装置２から画像出力データを取得して、印刷などの画像出力処理を行う。さらに、このシステムでは、所定の条件下において、複合機３が、サーバ装置２に保存されている画像出力データのプレビュー画像を表示することができる。
【００９１】
図７は、図１に示す画像形成システムにおいて、複合機３でプレビュー表示をさせる際の処理を説明する図である。
【００９２】
上述のステップＳ３において、サーバ装置２は、クライアント装置１からの画像出力データを受信すると、その画像出力データを、クライアント装置１のユーザのユーザ認証情報に関連付けて、出力データ記憶部２２に格納する。このとき、サーバ装置２の出力データ管理部２１は、画像出力データに対応するプレビュー画像データを、その画像出力データに関連付けて、出力データ記憶部２２に格納する。このプレビュー画像データは、出力データ管理部２１により、画像出力データから生成される。あるいは、クライアント装置１の出力ドライバ１１が、プレビュー画像データをサーバ装置２へ送信するようにしてもよい。この場合、例えば、出力ドライバ１１がプレビュー画像データを生成する。
【００９３】
プレビュー画像データは、イメージ形式（例えばＪＰＥＧ、ＴＩＦＦ、ＧＩＦ、ＰＮＧなど）の画像データである。この実施の形態では、プレビュー画像データの解像度は、画像出力データの解像度と同一とされる。ただし、プレビュー画像の解像度は、上述のサムネイル画像の解像度より高ければ、画像出力データの解像度より低くてもよい。なお、画像出力データが、表示用データ形式の画像データである場合には、プレビュー画像データを別途保存せずに、画像出力データをプレビュー画像データとして使用するようにしてもよい。
【００９４】
その後、送信したユーザ認証情報についてのユーザ認証が成功した場合、上述のステップＳ１０において、複合機３の制御装置３０６は、そのユーザ認証情報に関連付けられている画像出力データのリストをサーバ装置２から取得し、例えば図８に示すように、操作パネル３０７の表示装置に表示させる。
【００９５】
図８は、実施の形態１における、プレビューが可能である場合の、画像出力データのリストを表示する画面の一例を示す図である。図８に示すように、プレビューが可能である場合には、プレビューボタンが表示される。
【００９６】
その後、操作パネル３０７の入力装置に対してユーザによる選択操作があるとともにプレビューボタンの押下があると（ステップＳ１０１）、制御装置３０６は、その操作に従って、リストから画像出力データを選択し、その画像出力データに対応するプレビュー画像データの送信要求を、ネットワークインタフェースカード３０１でサーバ装置２へ送信する（ステップＳ１０２）。例えば図８に示すようなリストの場合、サーバ保存日時またはシリアル番号により、選択された画像出力データが特定される。
【００９７】
サーバ装置２において、その送信要求が通信処理部２２１により受信されると、出力データ管理部２１は、要求されたプレビュー画像データを読み出し、通信処理部２２１に、その画像出力データを複合機３へ送信させる（ステップＳ１０３）。
【００９８】
複合機３の制御装置３０６は、そのプレビュー画像データをネットワークインタフェースカード３０１で受信し、そのプレビュー画像データに基づくプレビュー画像を、例えば図９に示すように、操作パネル３０７における表示装置に表示させる（ステップＳ１０４）。
【００９９】
図９は、実施の形態１における、プレビュー画像を表示する画面の一例を示す図である。図９に示すように、操作パネル３０７においてプレビュー画像４０１が表示される。また、プレビュー画像４０１とともに、その画面において、プレビュー画像に対応する画像出力データの関連情報４０２、印刷ボタン４０３、ファクシミリ送信ボタン４０４、次ページボタン４０５、前ページボタン４０６、印刷設定編集ボタン４０７、データ削除ボタン４０８、削除予約設定ボタン４０９、およびプレビュー終了ボタン４１０が表示される。これらのボタン４０３〜４０９のいずれかに対するユーザの押下操作が操作パネルの入力装置により検出されると、制御装置３０６は、押下操作があったボタンに対応する処理を実行する。
【０１００】
印刷ボタン４０３は、上述のように、画像出力データを取得しその画像出力データに基づき印刷処理を実行させるためのボタンである。ファクシミリ送信ボタン４０４は、上述のように、画像出力データを取得しその画像出力データに基づきファクシミリ送信処理を実行させるためのボタンである。印刷ボタン４０３またはファクシミリ送信ボタン４０４が押下された場合、制御装置３０６は、プレビュー画像に対応する画像出力データを取得し、ジョブを実行する（ステップＳ１２〜Ｓ１４）。
【０１０１】
プレビュー画像データが複数ページのプレビュー画像を有している場合、最初に、先頭ページのプレビュー画像４０１が表示される。次ページボタン４０５は、次のページのプレビュー画像４０１を表示させるためのボタンであり、前ページボタン４０６は、前のページのプレビュー画像４０１を表示させるためのボタンである。次ページボタン４０５または前ページボタン４０６が押下された場合、制御装置３０６は、表示されているプレビュー画像を、次ページまたは前ページのプレビュー画像に切り替える。
【０１０２】
印刷設定編集ボタン４０７は、クライアント装置１において設定された印刷設定値（ページ指定、カラー設定など）を複合機３において編集するためのボタンである。印刷設定編集ボタン４０７が押下された場合、制御装置３０６は、設定画面を操作パネル３０７に表示させ、操作パネル３０７に対するユーザの操作による新たな印刷設定値を検出し、その新たな印刷設定値を適用して印刷処理を実行させる。
【０１０３】
データ削除ボタン４０８は、サーバ装置２におけるプレビュー画像データとそれに関連付けられている画像出力データを削除させるためのボタンである。データ削除ボタン４０８が押下された場合、制御装置３０６は、シリアル番号などで画像出力データおよび／またはプレビュー画像データを指定した削除要求をサーバ装置２に送信する。サーバ装置２の出力データ管理部２１は、その削除要求に従って、画像出力データおよびプレビュー画像データを削除する。
【０１０４】
削除予約設定ボタン４０９は、ジョブ実行後に自動的に、サーバ装置２におけるプレビュー画像データとそれに関連付けられている画像出力データを削除させるためのボタンである。削除予約設定ボタン４０９が押下された場合、制御装置３０６は、設定画面を操作パネル３０７に表示させ、操作パネル３０７に対するユーザの操作により、ジョブ実行後に画像出力データおよびプレビュー画像データを削除するか否かを特定する。ジョブ実行後に画像出力データおよびプレビュー画像データを削除する場合、制御装置３０６は、画像出力データに基づくジョブ（印刷またはファクシミリ送信）が完了すると、その画像出力データおよびそれに関連付けられているプレビュー画像データの削除要求をサーバ装置２に送信する。サーバ装置２の出力データ管理部２１は、その削除要求に従って、画像出力データおよびプレビュー画像データを削除する。
【０１０５】
プレビュー終了ボタン４１０は、プレビュー画像４０１の表示を終了するためのボタンである。プレビュー終了ボタン４１０が押下された場合、制御装置３０６は、例えば図９に示すプレビュー画面を削除し、例えば図８に示すリスト画面を再度表示させる。
【０１０６】
以上のように、上記実施の形態１によれば、クライアント装置１は、文書データから画像出力データを生成しサーバ装置２へ送信する。サーバ装置２では、通信処理部２２１が、ネットワークインタフェースカード２０５でその画像出力データを受信し、出力データ管理部２１が、その画像出力データを出力データ記憶部２２に格納する。そして、認証処理部２２２は、ユーザ操作に基づいて入力されたユーザ認証情報を、ネットワークインタフェースカード２０４でネットワーク７を介して複合機３から受信し、そのユーザ認証情報が正当なものであるか否かを判定する。通信処理部２２１は、そのユーザ認証情報が正当なものであると判定された場合に、画像出力データのうち、そのユーザ認証情報に関連付けられている画像出力データを、複合機３へネットワークインタフェースカード２０５で送信する。さらに、複合機３の制御装置３０６は、画像形成処理の前に、画像出力処理により得られる画像についてのプレビュー画像を所定の表示装置に表示させる。
【０１０７】
これにより、画像出力データがサーバ装置２により一旦保存され、複合機３、プリンタ４といった画像形成装置の設置場所からサーバ装置２のユーザ認証を経ないと、画像出力データがその画像形成装置へ供給されない。このため、ユーザが印刷後すぐに画像形成装置から印刷物を取ることができる。したがって、複合機３およびプリンタ４からの機密漏洩を防止できる。さらに、ユーザがプレビューで印刷物の画像を事前に確認することができるため、ユーザが必要としない印刷が実行されない。したがって、不要な印刷物が発生しにくく、不要な印刷物が放置されることによる機密漏洩を防止できる。
【０１０８】
実施の形態２．
本発明の実施の形態２に係る画像形成システムは、実施の形態１のシステムに加えて、ユーザ間のメッセージング機能を有する。
【０１０９】
実施の形態２では、ユーザが他のユーザへメッセージを送信する場合、クライアント装置１の出力ドライバ１１が、メッセージ登録要求、ユーザにより入力されたメッセージ、送信元のユーザ認証情報および送信先のユーザ認証情報をサーバ装置２へ送信する。サーバ装置２の出力データ管理部２１は、ネットワークインタフェースカード２０５および通信処理部２２１を介してそれらを受信し、記憶装置２０６に格納する。
【０１１０】
一方、複合機３において、ユーザが複合機３へのログインを試みると、実施の形態１と同様のユーザ認証処理が実行される（ステップＳ３〜Ｓ８）。サーバ装置２の認証処理部２２２は、複合機３からのユーザ認証情報が正規のものであるか否かを判定する（ステップＳ９）。
【０１１１】
そして、認証処理部２２２が、複合機３からのユーザ認証情報が正規のものであると判定した場合には、出力データ管理部２１は、そのユーザ認証情報が送信先に含まれるメッセージのリストを生成し、通信処理部２２１に、そのリストを複合機３へ送信させる。通信処理部２２１は、そのリストを、ネットワークインタフェースカード２０５およびネットワーク７を介して、複合機３へ送信する。
【０１１２】
送信したユーザ認証情報についてのユーザ認証が成功した場合、複合機３の制御装置３０６は、そのユーザ認証情報に関連付けられているメッセージのリストを、ネットワークインタフェースカード２０５で受信し、操作パネル３０７の表示装置に表示させる。このリストは、例えば図１０に示すようにＢＢＳ（Bulletin Board System）形式で表示される。
【０１１３】
図１０は、実施の形態２における、メッセージのリストを表示する画面の一例を示す図である。図１０に示すように、リストには、メッセージのタイトル、送信者のユーザＩＤ、およびメッセージのサーバ保存日時が含まれている。ユーザＩＤは、ユーザ認証情報の一部、またはユーザ認証情報に対応する識別情報である。この画面には、表示ボタン４１１および終了ボタン４１２が表示される。
【０１１４】
その後、操作パネル３０７の入力装置に対してユーザによるメッセージの選択操作があるとともに表示ボタン４１１の押下があると、制御装置３０６は、その操作に従って、リストからメッセージを選択し、そのメッセージの送信要求を、ネットワークインタフェースカード３０１でサーバ装置２へ送信する。例えば図１０に示すようなリストの場合、サーバ保存日時および送信者のユーザＩＤにより、選択されたメッセージが特定される。
【０１１５】
サーバ装置２において、その送信要求が通信処理部２２１により受信されると、出力データ管理部２１は、要求されたメッセージを読み出し、通信処理部２２１に、そのメッセージを複合機３へ送信させる。複合機３の制御装置３０６は、そのメッセージをネットワークインタフェースカード３０１で受信し、そのメッセージを、操作パネル３０７における表示装置に表示させる。
【０１１６】
メッセージの表示が終了すると、メッセージのリストが再度表示される。リストにおいて、メッセージが表示されたことを示すためにマークを付したり、リストからそのメッセージを削除するようにしてもよい。また、メッセージが表示された後に、複合機３からサーバ装置２へ通知を送信し、サーバ装置２がそのメッセージを削除するようにしてもよい。
【０１１７】
一方、終了ボタン４１２の押下があると、制御装置３０６は、メッセージリストの表示を終了する。その後、制御装置３０６は、メッセージリストの表示の終了をサーバ装置２に通知する。サーバ装置２において、その通知が通信処理部２２１により受信されると、出力データ管理部２１は、出力データ記憶部２２内の画像出力データのうち、そのユーザ認証情報に関連付けられている画像出力データのリストを生成し、通信処理部２２１に、そのリストを複合機３へ送信させる（ステップＳ１０）。通信処理部２２１は、そのリストを、ネットワークインタフェースカード２０５およびネットワーク７を介して、複合機３へ送信する。
【０１１８】
なお、このとき、メッセージリスト内のすべてのメッセージが表示された場合のみ、ステップＳ１０以降の処理が実行されるようにしてもよい。その場合、例えば、メッセージリスト内のすべてのメッセージが表示された場合のみ、複合機３が、メッセージリストの表示の終了を示す通知をサーバ装置２へ送信するようにする。
【０１１９】
なお、それ以降の処理は、実施の形態１の場合と同様であるので、省略する。
【０１２０】
以上のように、上記実施の形態２によれば、複合機３におけるジョブ実行前に、ユーザへのメッセージが表示される。
【０１２１】
実施の形態３．
図１１は、本発明の実施の形態３に係る画像形成システムの構成を示すブロック図である。本発明の実施の形態３では、実施の形態１または実施の形態２における複合機３の代わりに、プリンタ４、カードリーダ５およびネットワーク機器８の組み合わせが使用される。
【０１２２】
ネットワーク機器８は、ネットワーク７に接続され、表示装置８１を有する電子機器である。図１２は、図１１におけるネットワーク機器８の構成を示すブロック図である。ネットワーク機器８は、表示装置８１、ネットワークインタフェースカード８０１、入力装置８０２、および制御装置８０３を有する。
【０１２３】
表示装置８１は、プレビュー画像などを表示するための装置である。表示装置８１としては、例えば液晶ディスプレイが使用される。
【０１２４】
ネットワークインタフェースカード８０１は、ネットワーク７に接続された通信装置である。
【０１２５】
入力装置８０２は、ユーザの操作を検出する装置である。入力装置８０２としては、例えば、タッチパネルおよび複数のキースイッチが使用される。
【０１２６】
制御装置８０３は、ネットワーク７に接続されている他の機器とネットワークインタフェースカード８０１でデータ通信を行うとともに、プレビュー画像を表示装置８１に表示させる装置である。なお、制御装置８０３は、例えば制御プログラムをマイクロプロセッサで実行することにより実現される。
【０１２７】
なお、図１１におけるネットワーク機器８以外の構成要素は、実施の形態１または実施の形態２のものと同様であるので、その説明を省略する。ただし、サーバ装置２は、以下のように動作する。
【０１２８】
次に、上記システムにおける各装置の動作について説明する。
【０１２９】
実施の形態３では、図６におけるステップＳ１〜Ｓ２６の処理が同様に行われる。そして、認証処理部２２２が、カードリーダ５からのユーザ認証情報が正規のものであると判定した場合には、出力データ管理部２１は、そのユーザ認証情報に関連付けられている画像出力データについてのプレビュー画像データを読み出し、通信処理部２２１に、その画像出力データをネットワーク機器８へ送信させる。このとき、出力データ管理部２１は、出力先としてプリンタ４が指定されている場合には、プリンタ４に予め関連付けられているネットワーク機器を、認証サーバ装置６に問い合わせ、そのネットワーク機器がネットワーク機器８であることを特定する。
【０１３０】
ネットワーク機器８の制御装置８０３は、そのプレビュー画像データをネットワークインタフェースカード８０１で受信し、そのプレビュー画像データに基づくプレビュー画像を、例えば図９に示すように、表示装置８１に表示させる。ただし、プリンタ４には印刷機能しかないため、ファクシミリ送信ボタン４０４は削除されている。
【０１３１】
プレビュー画面内のボタン４０５〜４０９のいずれかが押下された場合、ネットワーク機器８の制御装置８０３は、上述の制御装置３０６と同様にして、押下されたボタンに対応する処理をサーバ装置２と連携して実行する。
【０１３２】
そして、印刷ボタン４０３が押下されると、制御装置８０３は、画像出力データの送信要求をサーバ装置２へ送信する。サーバ装置２において、その送信要求が通信処理部２２１により受信されると、出力データ管理部２１は、要求された画像出力データを読み出し、通信処理部２２１に、その画像出力データをプリンタ４へ送信させる。プリンタ４は、その画像出力データを受信すると、その画像出力データに基づいて印刷処理を実行する。
【０１３３】
なお、印刷ボタン４０３が押下された場合、サーバ装置２は、要求された画像出力データをネットワーク機器８へ送信し、ネットワーク機器８は、その画像出力データをプリンタ４へ送信するようにしてもよい。印刷設定編集ボタン４０７が押下され印刷設定が変更された場合、制御装置８０３は、変更後の印刷設定を反映した画像出力データを、プリンタ４へ送信する。
【０１３４】
以上のように、上記実施の形態３によれば、プリンタ４で印刷を行う場合でも、ネットワーク機器８において、画像形成処理の前に、画像出力処理により得られる画像についてのプレビュー画像が表示される。
【０１３５】
これにより、ユーザがプレビューで印刷物の画像を事前に確認することができるため、ユーザが必要としない印刷が実行されない。したがって、不要な印刷物が発生しにくく、不要な印刷物が放置されることによる機密漏洩を防止できる。
【０１３６】
なお、上述の各実施の形態は、本発明の好適な例であるが、本発明は、これらに限定されるものではなく、本発明の要旨を逸脱しない範囲において、種々の変形、変更が可能である。
【０１３７】
例えば、上記各実施の形態において、画像出力データは、例えばＪＰＥＧ（Joint Photographic Experts Group）形式、ＴＩＦＦ（Tagged Image File Format）形式、ＧＩＦ（Graphics Interchange Format）形式、ＰＮＧ（Portable Network Graphics）形式などといったイメージ形式、ＰＤＦ（Portable Document Format）形式、ＥＰＳ（Encapsulated Post Script）形式などのデータであってもよい。
【０１３８】
また、上記各実施の形態では、複合機３は１台だけであるが、複数の複合機がネットワーク７に接続されているシステムも構成可能である。
【０１３９】
また、上記各実施の形態において、認証サーバ装置６を設けずに、認証サーバ装置６の機能をサーバ装置２に持たせるようにしてもよい。
【０１４０】
また、上記各実施の形態において、複合機３、プリンタ４といった画像形成装置のグループを設け、クライアント装置１において画像出力データにグループ識別情報が付加され、サーバ装置２において、グループ識別情報に関連付けて画像出力データを保持するようにしてもよい。この場合、サーバ装置２から複合機３へ、その画像形成装置の属するグループのグループ識別情報およびログインユーザのユーザ認証情報に関連付けられている画像出力データのリストが送信される。
【０１４１】
また、上記各実施の形態において、複合機３の制御装置３０６は、画像出力データのリストが表示された後、ユーザにより選択された画像出力データについて、その画像出力データの削除要求をネットワークインタフェースカード３０１でサーバ装置２へ送信するようにしてもよい。この場合、通信処理部２２１によりその削除要求が受信されると、サーバ装置２の出力データ管理部２１は、要求された画像出力データを出力データ記憶部２２から削除する。なお、この削除要求にはセッションＩＤが付加される。
【０１４２】
また、上記各実施の形態において、サーバ装置２の出力データ管理部２１は、保存から所定の期間（例えば１ヶ月）が経過した画像出力データを自動的に削除するようにしてもよい。
【０１４３】
また、上記各実施の形態において、クライアント装置１およびサーバ装置２はプレビュー画像データを取り扱わず、複合機３またはネットワーク機器８が、画像出力データからプレビュー画像データを生成するようにしてもよい。
【０１４４】
また、上記各実施の形態において、プレビュー画像データが複数ページのプレビュー画像を有している場合、画像形成装置３は、プレビュー画像を表示する際に、１ページずつ、プレビュー画像データをサーバ装置２から取得してもよいし、総てのページのプレビュー画像データを１回で取得するようにしてもよい。
【０１４５】
また、上記各実施の形態において、ユーザごとに、プレビュー画像の表示を許可するか否かを示す情報を、予めサーバ装置２または認証サーバ装置６に格納しておき、サーバ装置２は、ユーザの認証が成功した後に、そのユーザに対してプレビュー画像の表示が許可されている場合のみ、プレビュー画像データを複合機３またはネットワーク機器８へ提供するようにしてもよい。
【産業上の利用可能性】
【０１４６】
本発明は、例えば、複数の複合機を有する画像形成システムに適用可能である。
【符号の説明】
【０１４７】
１  クライアント装置
２  サーバ装置
３  複合機（画像形成装置の一例）
４  プリンタ（画像形成装置の一例）
５  カードリーダ（電子機器の一例）
６  認証サーバ装置
７  ネットワーク
８  ネットワーク機器
２１  出力データ管理部（データ管理手段の一例，画像処理手段の一例）
３１  カードリーダ（取得手段の一例）
２０５  ネットワークインタフェースカード（第１通信装置の一例，通信装置の一例）
２２１  通信処理部（データ受信手段の一例，データ送信手段の一例）
２２２  認証処理部（認証処理手段の一例）
３０１  ネットワークインタフェースカード（第２通信装置の一例，通信装置の一例）
３０６  制御装置（制御手段の一例）
【図１】
2010170233.tif 000003
【図２】
2010170233.tif 000004
【図３】
2010170233.tif 000005
【図４】
2010170233.tif 000006
【図５】
2010170233.tif 000007
【図６】
2010170233.tif 000008
【図７】
2010170233.tif 000009
【図８】
2010170233.tif 000010
【図９】
2010170233.tif 000011
【図１０】
2010170233.tif 000012
【図１１】
2010170233.tif 000013
【図１２】
2010170233.tif 000014